(57)【要約】【課題】不正行為が行われても内枠が開放されない遊技機を提供する。【解決手段】金属製の補強プレート１００Ａ、１００Ｂがパチンコ機１０の外枠１２に締結されている。ここで、ドライバー等を外枠１２と内枠１４の当接部の僅かな隙間に不正に挿入しようとしても、外枠１２は補強プレート１００Ａ、１００Ｂで覆われており、破損しにくく、凹部が形成されにくい。また、外側に撓みにくい。これにより、内枠１４の不正な開放を防止できる。【選択図】図６
2008104795.tif 000002
【特許請求の範囲】
【請求項１】
ホール内の島の取付口に取付けられる外枠と、
前記外枠に開閉可能に取付けられ、遊技盤が組付けられた内枠と、
を備えた遊技機において、
前記外枠と前記内枠とが当接する当接部における前記外枠の外壁面に板状の補強部材を設けたことを特徴とする遊技機。
【請求項２】
前記補強部材には、前記外枠の外壁面の前面側へ延びる屈曲部が形成されていることを特徴とする請求項１に記載の遊技機
【請求項３】
前記補強部材が、同一形状で複数分割された板金であることを特徴とする請求項１又は請求項２に記載の遊技機。
【発明の詳細な説明】
【技術分野】
【０００１】
本発明は、ホール内の島の取付口に取付けられる遊技機に関する。
【背景技術】
【０００２】
従来、遊技機の合成樹脂製の外枠の上下に補強金属板を取付け、外枠の強度を向上させるとともに、ホール内の島設備の取付口と外枠との接触面積を大きくして、遊技機を頑丈に取付けたものがある。（例えば、特許文献１参照）。
【０００３】
一方、遊技機の液晶装置によって演出が行われる表示領域が拡大され、遊技盤そのものが大型化している。しかし、遊技盤を大型化しても、遊技機の設置スペース（ホール内の島の取付口の大きさ）は変えられないので、外枠の板厚を薄肉厚にしなければならない。
【特許文献１】特開平８−２６６７３２号公報
【発明の開示】
【発明が解決しようとする課題】
【０００４】
ところが、遊技盤を大型化して外枠の板厚を薄肉厚にすると、内枠と外枠の当接部（特に内枠のロック部に近い位置）にドライバー等が不正に押し込まれ、強度の弱い外枠が外側に撓むなどして内枠が開放される場合があった。
【０００５】
本発明は、上記事実を考慮して、不正行為が行われても内枠が開放されない遊技機を提供することを目的とする。
【課題を解決するための手段】
【０００６】
本発明の請求項１に係る遊技機は、ホール内の島の取付口に取付けられる外枠と、前記外枠に開閉可能に取付けられ、遊技盤が組付けられた内枠と、を備えた遊技機において、前記外枠と前記内枠とが当接する当接部における前記外枠の外壁面に板状の補強部材を設けたことを特徴としている。
【０００７】
上記構成によれば、内枠を閉止して外枠に固定したとき、外枠と内枠とが当接する当接部において、例えば、ドライバーを押し込んで内枠をこじ開けようとする不正があっても、補強部材により外枠が外側へ撓まず、隙間が大きくならないので、ドライバーを深く押し込むことができず、内枠が開放されない。
【０００８】
また、ドライバーを押し込んで内枠をこじ開けようとする不正により補強部材の一部が破損するようなことがあっても、補強部材のみを交換すればよい。
【０００９】
さらに、ホール内の島の取付口の大きさで外枠の外周部の大きさは決まるので、内枠の外周部の大きさを大きくするほど外枠の板厚を薄肉厚としなければならない。しかし、板状の補強部材により外枠が補強されているので撓みにくい。
【００１０】
本発明の請求項２に係る遊技機は、前記補強部材には、前記外枠の外壁面の前面側へ延びる屈曲部が形成されていることを特徴としている。
【００１１】
上記構成によれば、補強部材が、外枠の外壁面と外壁面の前面側との２面を補強するので、外枠の剛性が上がる。
【００１２】
本発明の請求項３に係る遊技機は、前記補強部材が、同一形状で複数分割された板金であることを特徴としている。
【００１３】
上記構成によれば、外枠には同一形状で複数の板金が取付けられており、例えば、不正行為により板金の１つが破損されても、この１つの板金のみを交換すればよく、全体の板金を交換する必要がなくなるので、板金の交換を低コストで行える。
【００１４】
また、板金を同一形状とすることで１種類の加工で済み、低コストで製作できる。
【発明の効果】
【００１５】
本発明は、上記構成としたので、不正行為が行われても内枠が開放されない。
【発明を実施するための最良の形態】
【００１６】
以下、本発明の遊技機の実施形態について図面を参照して説明する。
【００１７】
（パチンコ機の構成）
図１には、パチンコホールの島設備１５０とパチンコ機１０が示されている。
【００１８】
図１に示すように、島設備１５０は、パチンコ機１０を取付けるための略矩形状の取付口１５２を備えている。
【００１９】
図１及び図２に示すように、パチンコ機１０は、パチンコ機１０の外郭を構成するとともに島設備１５０の取付口１５２に取付けられる木製で矩形状の外枠１２を備えている。
【００２０】
外枠１２の前面には、硬質の合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２１】
内枠１４は、外枠１２の左上角部と下飾り１６の左上角部とに設けられた一対のヒンジプレート１８、２０に、左側端部が軸支されて開閉可能に取り付けられている。
【００２２】
ここで、外枠１２と内枠１４とが当接する当接部における外枠１２の外壁面には、板金からなる補強プレート１００が取付けられている。補強プレート１００は、同一形状で２つに分割された補強プレート１００Ａ、１００Ｂで構成されている。
【００２３】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００２４】
図３に示すように、ガラス枠２２の裏面側となる内枠１４の前面上部には、矩形状の開口部１５が形成されている。この内枠１４の開口部１５には、遊技盤Ｇが着脱（交換）可能にセットされている。
【００２５】
遊技盤Ｇは、アクリル等の透明な樹脂板で構成され、前面側に図示しない釘及び液晶表示部が取付けられている。これにより、遊技盤Ｇの奥側に配置される液晶表示パネルＬＰ（図４参照）が視認可能となっている。
【００２６】
また、遊技盤Ｇは、内枠１４に対して閉塞されたガラス枠２２によって覆われており、遊技盤Ｇの盤面上に設けられた遊技領域ＰＡが、パチンコ機１０の正面側から窓部２４のガラス板２６を通して視認可能とされている。
【００２７】
図４は、内枠１４から遊技盤Ｇを取外した状態を示している。
【００２８】
図４に示すように、内枠１４の奥側（遊技盤Ｇの裏側）には、略矩形状の液晶表示パネルＬＰが取付けられている。液晶表示パネルＬＰは、略水平方向に配置された図示しない上下一対のレール部により支持されており、内枠１４を開放した状態で、内枠１４の側壁の開口（図示せず）からレール部に沿ってスライドさせることで交換可能となっている。
【００２９】
図２に示すように、ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００３０】
一方、内枠１４の前面下部には、パチンコ機１０の前面下部を構成する皿ユニット４０が配置されている。
【００３１】
皿ユニット４０は、皿ユニット４０の本体部を構成するベース４１の左側端部が、内枠１４に軸支されて開閉可能に取り付けられている。
【００３２】
ベース４１の前面上部には、パチンコ球を遊技盤Ｇへ向けて発射するために貯留して発射装置６０へ供給する上皿４２が突設されている。また、ベース４１の前面下部における上皿４２の左下には、上皿４２に貯留しきれないパチンコ球を貯留するための下皿４４が突設されている。
【００３３】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００３４】
ベース４１によって構成された上皿４２の奥壁面における右側端部には、内枠１４の裏面に設けられた払出装置６２（図５参照）から払い出された貸し球や賞球が排出される球排出口４８が形成されている。
【００３５】
下皿４４の奥壁面における右側端部には、上皿４２に貯留しきれないパチンコ球が排出される球排出口４９が形成されている。
【００３６】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。
【００３７】
また、ベース４１の前面略中央は矩形箱状に膨出しており、内部には、遊技の進行に応じて効果音を出力する図示しない重低音用のスピーカが設けられている。スピーカから出力された音は、ベース４１の前面に形成された開口部５８から出力される。
【００３８】
図３に示すように、ベース４１の裏面における略中央部には、上皿４２に貯留しきれないパチンコ球を下皿４４へ流下させる球通路７０が設けられている。
【００３９】
球通路７０は、上端部に通路入口７２が形成され、下端部に形成された通路出口は、球排出口４９と連通している。球通路７０よりも回転支軸に近い側には、球送り装置４５が取り付けられている。
【００４０】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００４１】
貯球タンク７４は、上面が開口した箱型とされ、タンク底面が正面視にて左側から右側へ向けて下り傾斜している。
【００４２】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００４３】
図３及び図５に示すように、内枠１４の裏面における開放側（裏面視左側）の側端部には、内枠１４及びガラス枠２２を施錠するための施錠装置６４が取付けられている。
【００４４】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００４５】
施錠装置６４にはシリンダー錠６６が設けられており、シリンダー錠６６は、皿ユニット４０の前面右上に露出されている。
【００４６】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４７】
さらに、ガラス枠２２を開放することで露出されるロック装置６８のロック解除レバー６９を操作すると、内枠１４にロックされていた皿ユニット４０がロック解除されて開放可能となる。
【００４８】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４９】
図５に示すように、内枠１４の裏面における上部には、島設備から供給されたパチンコ球を貯留するための上タンク８０及び下タンク８２が設けられている。
【００５０】
内枠１４裏面の回転支軸側（裏面右側）の側端部には、上タンク８０及び下タンク８２に貯留されたパチンコ球を貯球タンク７４（図３参照）側へ流下させる上部球通路ユニット８４及び下部球通路ユニット８６が延設されている。
【００５１】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００５２】
発射装置６０の左側には、払出装置６２を制御してパチンコ球の払い出しを実行及び停止させる払出制御基板８８が設けられている。
【００５３】
払出制御基板８８は、払出停止制御と払出実行制御を実行可能に設けられている。
【００５４】
払出停止制御の場合、払出制御基板８８は、払出装置６２を駆動停止させてパチンコ球の払い出しを停止する。
【００５５】
一方、払出実行制御の場合、払出制御基板８８は、払出装置６２を駆動させ、上タンク８０及び下タンク８２から上部球通路ユニット８４を流下し払出装置６２に誘導されたパチンコ球を、貸し球又は賞球として下部球通路ユニット８６へ払い出す。
【００５６】
そして、図２、図３、及び図５に示すように、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５７】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５８】
発射装置６０に送り込まれたパチンコ球は、発射装置６０によって遊技盤Ｇの遊技領域ＰＡへ発射される（図３の矢印Ａ方向）。このパチンコ球が遊技領域ＰＡを自重落下する過程で入賞又は外れとなり、遊技盤Ｇにてパチンコ球を用いた遊技が行われる。
【００５９】
遊技の進行に伴い、大量のパチンコ球が賞球として払い出されるなどし、上皿４２が満タンになると、上皿４２に貯留しきれないパチンコ球は貯球タンク７４に貯留される。
【００６０】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００６１】
また、遊技の終了時などに、上皿４２の前面左側に設けられた上皿用球抜きレバー５０を操作すると、整列通路４６の最下流部が開放して、上皿４２に貯留されたパチンコ球が球通路７０へ排出され下皿４４へ流下する。
【００６２】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００６３】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００６４】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００６５】
このシャッター板９０、９２によって、皿ユニット４０を開放した際に、貯球タンク７４及び上皿４２からパチンコ球が流出しないよう塞き止められる。
【００６６】
（補強プレートの構成）
次に、補強プレート１００の構成について説明する。
【００６７】
図６に示すように、補強プレート１００は板金であり、プレス、パンチ加工された後、中央で分割され、同一形状の補強プレート１００Ａ、１００Ｂとなっている。
【００６８】
補強プレート１００Ａ、１００Ｂは、一方の端部が略Ｌ字状に折り曲げ加工され、屈曲部１３０が形成されている。また、補助プレート１００Ａ、１００Ｂは、上部に円弧状の切欠部１１４が形成され、木ネジ１２８が挿通可能な穴部１１６と、逃げ穴１１８、１２２が形成されている。
【００６９】
一方、外枠１２の左側壁１０２は、上部及び下部に前述のヒンジプレート１８、２０が設けられている。
【００７０】
外枠１２の右側壁１０４には、角部を補強する補強ブラケット１７がボルト１０８、１１０、及び１１２で固定されている。また、右側壁１０４には、木ネジ１２８が挿通される挿通孔１１１が形成されている。
【００７１】
さらに、右側壁１０４の外壁面１０６の前面側は、内枠１４（図２参照）が閉止されたときに内枠１４の側端部２００が当接する当接面１０７とされている。当接面１０７に続く外壁面１０６には、補強プレート１００の板厚分だけ削られた段差面１０６Ａが形成されている。
【００７２】
ここで、図７に示すように、木ネジ１２８によって当接面１０７及び段差面１０６Ａに補強プレート１００Ａが締結される。このとき、外枠１２の右側壁１０４の表面が平坦となり、段差がなくなるので、ホールの島設備１５０の取付口１５２（図１参照）に外枠１２を取付けるときの作業には影響しない。
【００７３】
補強プレート１００Ｂも同様にして、当接面１０７と段差面１０６Ａに取付けられる。
【００７４】
次に、本実施形態の作用について説明する。
【００７５】
図８ａは、本発明との比較例として、補強プレート１００が無い場合の外枠１２と内枠１４の当接状態を示している。
【００７６】
ここで、外枠１２と内枠１４の当接部にドライバーＤ等が不正に挿入されると、内枠１４は硬質の合成樹脂のため傷がつきにくいが、外枠１２は木製のため、一部が削られ凹部１３２が形成される。
【００７７】
凹部１３２が、前述の施錠装置６４（図５参照）に近い場所に形成された場合、凹部１３２が拡大され、施錠装置６４が破損されて、内枠１４が開放されてしまう。
【００７８】
一方、図８ｂに示すように、本発明の構成では、ドライバーＤ等を外枠１２と内枠１４の当接部に挿入しようとしても、外枠１２は補強プレート１００Ａ、１００Ｂで覆われており、破損しにくく、凹部が形成されない。また、外枠１２が外側に撓みにくい。これにより、内枠１４の不正な開放を防止できる。
【００７９】
ここで、仮に、ドライバーＤ等を用いた不正行為により補強プレート１００Ａ又は１００Ｂの一部に傷がついた場合、傷ついた方のみを取り外して交換すればよく、補強プレート１００Ａ、１００Ｂを全て交換する必要はない。
【００８０】
また、補強プレート１００Ａ、１００Ｂは同一形状であるので、どちらが傷ついても交換用の予備は１種類だけ用意しておけばよく、複数種類の予備を用意しなくてもよい。
【００８１】
以上説明したように、本発明の実施形態では、内枠１４を閉止して外枠１２に固定したとき、外枠１２と内枠１４とが当接する当接部において、例えば、ドライバーＤを押し込んで内枠１４をこじ開けようとする不正があっても、補強プレート１００Ａ、１００Ｂにより外枠１２が外側へ撓まず、隙間が大きくならないので、ドライバーを深く押し込むことができず、内枠１４が不正に開放されない。
【００８２】
また、ホール内の島設備１５０の取付口１５２の大きさで外枠１２の外周部の大きさは決まるので、内枠１４の外周部の大きさを大きくするほど外枠１２の板厚を薄肉厚としなければならない。しかし、補強プレート１００により外枠１２が補強されているので撓みにくい。
【００８３】
また、補強プレート１００が、当接面１０７及び段差面１０６Ａの２面を補強するので、外枠１２の剛性が上がる。
【００８４】
さらに、外枠１２には同一形状で複数の補強プレート１００Ａ、１００Ｂが取付けられており、例えば、不正行為により補強プレート１００Ａが破損された場合、この補強プレート１００Ａのみを交換すればよく、補強プレート１００全体を交換する必要がなくなるので、補強プレート１００の交換を低コストで行える。
【００８５】
また、補強プレート１００Ａ、１００Ｂを同一形状としたので１種類の加工で済み、補強プレート１００を低コストで製作できる。
【００８６】
なお、本発明は上記の実施形態に限定されない。
【００８７】
補強プレート１００は、２分割以上の複数分割したものでもよい。また、補強プレート１００の取付位置は、外枠１２と内枠１４の当接部であれば、外枠１２の上部、下部であってもよく、ヒンジプレート１８、２０側であってもよい。
【図面の簡単な説明】
【００８８】
【図１】本発明の実施形態に係るホールの島設備の斜視図である。
【図２】本発明の実施形態に係るパチンコ機の斜視図である。
【図３】本発明の実施形態に係るパチンコ機のガラス枠及び皿ユニットが開放された状態を示す斜視図である。
【図４】本発明の実施形態に係るパチンコ機の遊技盤を外した状態を示す斜視図である。
【図５】本発明の実施形態に係るパチンコ機の裏面を示す斜視図ある。
【図６】本発明の実施形態に係る補強プレートの取付け状態を示す斜視図である。
【図７】本発明の実施形態に係る補強プレートを外枠へ取付ける状態を示す部分拡大図である。
【図８】本発明の実施形態に係る補強プレートの効果を示す断面図である。
【符号の説明】
【００８９】
１０  パチンコ機（遊技機）
１２  外枠（外枠）
１４  内枠（内枠）
１００  補強プレート（補強部材、板金）
１００Ａ  補強プレート（補強部材、板金）
１００Ｂ  補強プレート（補強部材、板金）
１０６  外壁面（外壁面）
１０７  当接面（当接部）
１３０  屈曲部（屈曲部）
Ｇ  遊技盤（遊技盤）
【図１】
2008104795.tif 000003
【図２】
2008104795.tif 000004
【図３】
2008104795.tif 000005
【図４】
2008104795.tif 000006
【図５】
2008104795.tif 000007
【図６】
2008104795.tif 000008
【図７】
2008104795.tif 000009
【図８】
2008104795.tif 000010